Podtech/llm-jp-corpus-v4-ja_patent huggingface dataset:
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  撮影光学系を介して被写体を撮像して、予め決められた複数の色成分から成る表色系によって示されるカラー画像を生成する撮像手段と、
前記撮像手段によって生成されたカラー画像に相当する複数の画素出力のうち、レジストレーション誤差を生じる色成分の画素出力の配置を変更することによって、該カラー画像のレジストレーション補正を行うレジストレーション補正手段とを備え、
前記レジストレーション補正手段は、
レジストレーション誤差を生じる色成分の画素出力の配置を変更する際、複数の画素出力が同一の画素に対応付けられる場合には、該複数の画素出力を合成する
ことを特徴とする撮像装置。
【請求項２】  撮影光学系を介して被写体を撮像して、予め決められた複数の色成分から成る表色系によって示されるカラー画像を生成する撮像手段と、
前記撮像手段によって生成されたカラー画像に相当する複数の画素出力のうち、レジストレーション誤差を生じる色成分の画素出力の配置を変更することによって、該カラー画像のレジストレーション補正を行うレジストレーション補正手段とを備え、
前記レジストレーション補正手段は、
前記撮像手段によって生成されたカラー画像に対応する画素として、レジストレーション誤差を生じる色成分が欠落する画素が存在する場合には、該色成分の画素出力の配置を変更した後に、該色成分に対する補間処理を行う
ことを特徴とする撮像装置。
【請求項３】  撮影光学系を有する交換レンズと、
前記撮影光学系を介して被写体を撮像して、予め決められた複数の色成分から成る表色系によって示されるカラー画像を生成する撮像手段を有するカメラボディと
を備えた電子カメラにおいて、
前記交換レンズは、
前記撮影光学系の「倍率色収差に関する情報」を前記カメラボディに供給する倍率色収差供給手段を備え、
前記カメラボディは、
前記倍率色収差供給手段から供給された「倍率色収差に関する情報」に基づいて、前記撮像手段によって生成されたカラー画像のレジストレーション補正を行うレジストレーション補正手段を備えた
ことを特徴とする電子カメラ。
【請求項４】  請求項３に記載の電子カメラにおいて、
前記倍率色収差供給手段は、
前記撮影光学系のフォーカス位置とズーム位置との少なくとも１つを示すレンズデータを取得し、該レンズデータに対応する「倍率色収差に関する情報」を前記カメラボディに供給する
ことを特徴とする電子カメラ。
【請求項５】  請求項３または請求項４に記載の電子カメラにおいて、
前記撮像手段は、
複数の撮像素子から成り、
前記レジストレーション補正手段は、
前記倍率色収差供給手段から供給された「倍率色収差に関する情報」の他に、前記複数の撮像素子の位置合わせの調整誤差に基づいて、前記撮像手段によって生成されたカラー画像のレジストレーション補正を行う
ことを特徴とする電子カメラ。
【請求項６】  請求項３ないし請求項５の何れか１項に記載の電子カメラにおいて、
前記レジストレーション補正手段は、
前記撮像手段によって生成されたカラー画像に相当する複数の画素出力のうち、レジストレーション誤差を生じる色成分の画素出力の配置を変更することによって、該カラー画像のレジストレーション補正を行い、該カラー画像に対応する画素として、レジストレーション誤差を生じる色成分が欠落する画素が存在する場合には、該色成分の画素出力の配置を変更した後に、該色成分に対する補間処理を行う
ことを特徴とする電子カメラ。
【請求項７】  撮影光学系を有する交換レンズと、
前記撮影光学系を介して被写体を撮像して、予め決められた複数の色成分から成る表色系によって示されるカラー画像を生成する撮像手段を有するカメラボディと
を備えた電子カメラにおいて、
前記カメラボディは、
前記交換レンズから前記撮影光学系に含まれたレンズ固有のレンズデータを読み出す読み出し手段と、
前記撮像手段によって生成されたカラー画像に相当する複数の画素出力のうち、前記読み出し手段によって読み出されたレンズデータに基づいて、レジストレーション誤差を生じる色成分の画素出力の配置を変更することによって、該カラー画像のレジストレーション補正を行うレジストレーション補正手段を備えた
ことを特徴とする電子カメラ。
【請求項８】  撮影レンズに含まれたレンズ固有のレンズデータを読み出すステップと、
電子カメラで撮影された画像データを読み出すステップと、
前記カラー画像に相当する複数の画素出力のうち、前記レンズデータに基づいて、レジストレーション誤差を生じる色成分の画素出力のデータ配置を変更することによって、カラー画像のレジストレーション補正を行うステップと
から成ることを特徴とするレジストレーション補正方法。
【手続補正２】
【補正対象書類名】明細書
【補正対象項目名】００１４
【補正方法】変更
【補正の内容】
【００１４】
請求項３に記載の電子カメラ（図４の２に相当する）の交換レンズ（図４の４に相当する）は、撮影光学系の「倍率色収差に関する情報」をカメラボディ（図４の３に相対する）に供給する倍率色収差供給手段（図４の４３に相当する）を備え、また、カメラボディは、倍率色収差供給手段から供給された「倍率色収差に関する情報」に基づいて、撮像手段（図４の１３に相当する）によって生成されたカラー画像のレジストレーション補正を行うレジストレーション補正手段（図４の１９、２０、３１に相当する）を備えたことを特徴とする。
【手続補正３】
【補正対象書類名】明細書
【補正対象項目名】００１６
【補正方法】変更
【補正の内容】
【００１６】
請求項５に記載の電子カメラ（図４の２に相当する）は、請求項３または請求項４に記載の電子カメラにおいて、撮像手段（図４の１３に相当する）は、複数の撮像素子から成り、レジストレーション補正手段（図４の１９、２０、３１に相当する）は、倍率色収差供給手段（図４の４３に相当する）から供給された「倍率色収差に関する情報」の他に、複数の撮像素子の位置合わせの調整誤差に基づいて、撮像手段によって生成されたカラー画像のレジストレーション補正を行うことを特徴とする。
【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  直交伝送リソースを備えた多元接続型の無線通信システムにおける伝送方法であって、ユーザ数（Ｍ）がシステムの伝送リソース数（Ｎ）を超える場合、
少なくとも２人のユーザが所定の瞬間に前記伝送リソース（ｓ１、．．．、ｓ８）の少なくとも１つを共有し、
前記共有によって発生するＳＮ比の劣化を複数のユーザ（ｕ１、．．．、ｕ９）の間にできる限り均等に配分するように、伝送リソースを共有する前記ユーザが時間とともに変化し、
所定の瞬間に同一リソースを共有する前記ユーザに対応する信号を送信レベルで区別することにより前記ＳＮ比の劣化をさらに低減することを特徴とする方法。
【請求項２】  直交伝送リソースを備えた多元接続型の無線通信システム用送信装置であって、ユーザ数（Ｍ）がこのシステムのリソース数（Ｎ）を超える場合、
少なくとも２人のユーザが所定の瞬間に少なくとも１つの前記リソース（ｓ１、．．．、ｓ８）を共有し、
前記共有によって発生するＳＮ比の劣化を複数のユーザ（ｕ１、．．．ｕ９）の間でできる限り均等に配分するように、伝送リソースを共有する前記ユーザが時間とともに変化するように構成される伝送リソースの使用手段（２）と、
所定の瞬間に同一リソースを共有する複数のユーザが送信する信号を送信レベルで区別するための手段（１）とを含むことを特徴とする送信装置。
【請求項３】  直交伝送リソースを備えた多元接続型の無線通信システム用受信装置であって、ユーザ数（Ｍ）がこのシステムの伝送リソース数（Ｎ）を超える場合、
少なくとも２人のユーザが所定の瞬間に少なくとも１つの前記リソース（ｓ１、．．．、ｓ８）を共有し、
前記共有によって発生するＳＮ比の劣化を複数のユーザ（ｕ１、．．．ｕ９）の間でできる限り均等に配分するように、伝送リソースを共有する前記ユーザが時間とともに変化するように構成される伝送リソースの使用手段（５）と、
ユーザが所定の瞬間に同一リソースを共有する場合、異なる送信レベルの考えられる様々な組み合わせに対応する様々な決定閾値と受信信号レベルとの比較手段（６）とを含むことを特徴とする受信装置。
【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】  データ及び／又は対応する複数のアドレスにおける複数の命令を記憶するメモリと、
前記メモリにおけるデータ及び／又は命令をアクセスするために第１の所定数のビットの仮想アドレスを発生するアドレス発生器と、
前記アドレス発生器に接続され、
前記第１の所定数のビットより少ない第２の所定数のビットの固定仮想アドレス・レジスタであって、製造時に固定される第１の仮想アドレスを記憶する固定仮想アドレス・レジスタ、
前記第２の所定数のビットの複数の書き込み可能仮想アドレス・レジスタであって、各々が対応する第２の仮想アドレスを記憶する複数の書き込み可能仮想アドレス・レジスタ、
前記アドレス発生器及び前記固定仮想アドレス・レジスタに接続され、前記固定仮想アドレス・レジスタに記憶された前記第１の仮想アドレスを前記仮想アドレスの前記第２の所定数のビットと比較して一致を表示する第１の比較器、
対応する書込み可能仮想アドレス・レジスタ及び前記アドレス発生器に各々が接続された、前記対応する仮想アドレス・レジスタに記憶された前記第２の仮想アドレスを前記仮想アドレスの前記第２の所定数のビットと比較して一致を表示する複数の第２の比較器、
前記第２の所定数のビットの固定物理アドレス・レジスタであって、製造時に第１の物理アドレス記憶する固定物理アドレス・レジスタ、
前記第２の所定数のビットの複数の書き込み可能物理アドレス・レジスタであって、各々が第２の物理アドレスを記憶する複数の書き込み可能物理アドレス・レジスタ、及び
前記メモリ、前記アドレス発生器、前記第１の比較器、前記第２の比較器の各々、前記固定物理アドレス・レジスタ、及び前記複数の書き込み可能物理アドレス・レジスタの各々に接続されたマルチプレクサであって、前記比較器のうちの１つによる一致に応答して、前記一致する比較器に対応する物理レジスタの内容を前記仮想アドレスの上位ビットに置き換えてメモリ・アクセス用の前記メモリに供給される物理アドレスを形成する前記マルチプレクサ
を有するテーブル・ルック・アサイド・バッファと
を備えた安全計算システム。
【請求項２】  請求項１に記載の安全計算システムにおいて、前記マルチプレクサは、前記第２の比較器のうちのいずれかによる一致の表示に係わらず、前記第１の比較器による一致の表示に応答して前記固定物理レジスタの内容を前記仮想アドレスの上位ビットと置き換える安全計算システム。
【請求項３】  請求項１に記載の安全計算システムにおいて、前記固定仮想アドレス・レジスタ及び前記固定物理アドレス・レジスタは、製造においてマスク・プログラマブルである安全計算システム。
【請求項４】  請求項１に記載の安全計算システムにおいて、前記複数の書き込み可能仮想アドレス・レジスタ及び前記複数の書き込み可能物理アドレス・レジスタは、前記安全計算システムによる命令の実行により、書き込み可能であり、
前記固定仮想アドレス・レジスタ及び前記固定物理アドレス・レジスタは、前記安全計算システムによる命令の実行により、表面的に書き込み可能であり、前記命令により前記固定仮想アドレス・レジスタか又は前記固定物理アドレス・レジスタに対する書き込みの試行は、前記レジスタの内容を改変することに失敗し、かつ誤りメッセージ又は障害を発生しない安全計算システム。
【請求項５】  コンピュータ内の常駐プログラムのセキュリティを検証する方法であって、
前記常駐プログラムをメモリ内の所定の物理アドレスの範囲に記憶し、
前記常駐プログラムが記憶された前記物理アドレス範囲のいかなる仮想アドレス再配置を阻止し、
診断プログラムをロードし、
前記常駐プログラムが改変されたかを判断するために、前記診断プログラムを用いて前記常駐プログラムを基準に対してチェックし、
もし前記常駐プログラムが前記基準と一致すれば前記常駐プログラムの検証合格を表示し、もし前記常駐プログラムが前記基準と一致しなければ前記常駐プログラムの検証不合格を表示する
ステップを備えた方法。
【請求項６】  請求項５に記載の方法において、前記常駐プログラムが記憶された前記物理アドレス範囲のいかなる仮想アドレス再配置を阻止する前記ステップは、前記所定の物理アドレス範囲を囲む製造時に固定される仮想アドレスを記憶する固定仮想アドレス・レジスタと前記所定の物理アドレス範囲を囲む製造時に固定される物理アドレスを記憶する対応する固定物理アドレス・レジスタとを有するテーブル・ルック・アサイド・バッファを提供することを含む方法。
【請求項７】  請求項５に記載の方法であって、さらに前記常駐プログラムの検証不合格を表示するときは前記常駐プログラムの通常動作を無効にするステップを含む方法。
【請求項８】  請求項５に記載の方法であって、さらにあるアプリケーション・プログラムは前記コンピュータにランさせ、別のアプリケーションプログラムはランするのを無効にするステップを含む方法。
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  洗浄室と、
この洗浄室の内部に食器を配置する食器かごと、
この食器かごにより配置された食器を洗浄する洗浄機構とを具備するものにおいて、
その食器かごが基体上に食器配置部を有し、この食器配置部を取外し可能に設けたことを特徴とする食器洗浄機。
【請求項２】  食器かごが、基体に、食器配置部の位置ずれを規制する構造を施していることを特徴とする請求項１記載の食器洗浄機。
【手続補正２】
【補正対象書類名】明細書
【補正対象項目名】０００５
【補正方法】変更
【補正の内容】
【０００５】
【発明が解決しようとする課題】
上記従来の食器洗浄機の食器かご１によれば、鍋など大きめの被洗浄物を収納するについて、上述の茶碗配置部４では支持部材４ａが邪魔になって、安定した収納ができないという問題点を有していた。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は上述の事情に鑑みてなされたものであり、従ってその目的は、鍋など大きめの被洗浄物の安定した収納ができる食器洗浄機を提供するにある。
【手続補正５】
【補正対象書類名】明細書
【補正対象項目名】０００８
【補正方法】変更
【補正の内容】
【０００８】
【課題を解決するための手段】
上記目的を達成するために、本発明の食器洗浄機は、洗浄室と、この洗浄室の内部に食器を配置する食器かごと、この食器かごにより配置された食器を洗浄する洗浄機構とを具備するものにおいて、その食器かごが基体上に食器配置部を有し、この食器配置部を取外し可能に設けたことを特徴とする。
【手続補正６】
【補正対象書類名】明細書
【補正対象項目名】０００９
【補正方法】変更
【補正の内容】
【０００９】
このものによれば、食器かごの食器配置部を取外したときに、食器かごの基体上にその食器配置部の分の大きな（広い）スペースができ、そこに鍋など大きめの被洗浄物を安定状態に置くことができる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００２１
【補正方法】変更
【補正の内容】
【００２１】
さて、ここで食器かご２１，２２につき詳述するに、そのうち、下段の食器かご２２は、図１に示すように、基体３６上に、皿配置部３７と、食器配置部である茶碗配置部３８とを設けた構成で、その基体３６は、多数の金属線材により矩形の偏平なかご状に形成している。
【手続補正１０】
【補正対象書類名】明細書
【補正対象項目名】００２５
【補正方法】変更
【補正の内容】
【００２５】
更に、それら第１の支持部３８ａと第２の支持部３８ｂは、これらの両端部をそれぞれ２本ずつの連結部材３８ｃ，３８ｄに例えばスポット溶接すると共に、その連結部材３８ｃ，３８ｄの両端部に補助連結部材３８ｅ，３８ｆを同じくスポット溶接することにより、ユニット化しており、その各ユニット（茶碗配置部３８）を基体３６の底部（金属線材）３６ｂに単に載せて、それぞれ着脱可能に設けている。
【手続補正１１】
【補正対象書類名】明細書
【補正対象項目名】００２６
【補正方法】変更
【補正の内容】
【００２６】
又、このように基体３６の底部３６ｂに載せた茶碗配置部３８に対して、基体３６の底部３６ｂには、それらの前後方向への位置ずれを２列まとめて規制するストッパとしての段部３９を設けており、左右方向には、茶碗配置部３８の上記補助連結部材３８ｅ，３８ｆが、基体３６の底部３６ｂや皿配置部３７の第２の支持部３７ｂ等に当接することによって位置規制されるようにしていて、これらの構造により、基体３６における茶碗配置部３８の位置ずれを規制するようにしている。
【手続補正１２】
【補正対象書類名】明細書
【補正対象項目名】００４６
【補正方法】変更
【補正の内容】
【００４６】
［第４実施例］
図１４及び図１５に示す第４実施例においては、下段の食器かご２２の基体３６の左半部の底部３６ｂの前後の中央部に、凹部８１を２つずつ形成しており、これには、下段の食器かご２２の基体３６の左半部から取外した２列の茶碗配置部３８のうちの１列の茶碗配置部３８の連結部材３８ｃを嵌合することによって、１列の茶碗配置部３８を茶碗配置部３８の複数列分のスペースの中央部に固定するものであり、従って、凹部８１はその固定をする固定部として機能し、この構造により、基体３６における茶碗配置部３８の位置ずれを規制するようにしている。
【手続補正１３】
【補正対象書類名】明細書
【補正対象項目名】００５０
【補正方法】変更
【補正の内容】
【００５０】
【発明の効果】
本発明は以上説明したとおりのもので、食器かごの食器配置部を取外したときに、食器かごの基体上に、その食器配置部の分の大きな（広い）スペースができて、そこに鍋など大きめの被洗浄物を安定状態に置くことができる。
【手続補正１４】
【補正対象書類名】明細書
【補正対象項目名】００５１
【補正方法】削除
【補正の内容】
【手続補正１５】
【補正対象書類名】明細書
【補正対象項目名】００５２
【補正方法】削除
【補正の内容】
【手続補正１６】
【補正対象書類名】明細書
【補正対象項目名】００５３
【補正方法】削除
【補正の内容】
【手続補正１７】
【補正対象書類名】明細書
【補正対象項目名】００５４
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】符号の説明
【補正方法】変更
【補正の内容】
【符号の説明】
１３は洗浄室、１９は噴水アーム（洗浄機構）、２１は上段の食器かご、２１ａは右半部（高い側）、２１ｂは左半部（低い側）、２２は下段の食器かご、２５は洗浄ポンプ（洗浄機構）、３６は基体、３７は皿配置部、３７ａは第１の支持部、３７ｂは第２の支持部、３８は茶碗配置部（食器配置部）、３８ａは第１の支持部、３８ｂは第２の支持部、４３は小物収納部、４５は取付部、４６は金属線材（レール）、４８は皿、４８ａは側部、４８ｂは下部、４９は茶碗、５０は小物の食器、６１，７１は突部、８１は凹部（固定部）、９１ａは下段の食器かごの基体の金属線材の両端以外の部分、９２は金属線材を示す。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】浴槽内の湯を吸湯管で汲み上げ、装置本体内に循環ポンプ、紫外線殺菌装置、濾過タンク、ヒータ等の清浄化処理機器を配備した循環路で殺菌、濾過、加熱等の所定の清浄化処理した後噴湯管を経て再び浴槽内に噴出する浴槽湯の清浄化装置において、熱殺菌運転時には前記循環路内の湯温上昇に伴い前記循環路内の圧力が上昇するのを防止するために、僅かに漏水する構造の逆止弁が設けられていることを特徴とする浴槽湯の清浄化装置。
【請求項２】前記逆止弁には弁体と弁座との間に僅かに漏水する隙間が設けられていることを特徴とする請求項１記載の浴槽湯の清浄化装置。
【請求項３】前記逆止弁には弁体に小穴が設けられていることを特徴とする請求項１記載の浴槽湯の清浄化装置。
【手続補正２】
【補正対象書類名】明細書
【補正対象項目名】００１９
【補正方法】変更
【補正の内容】
【００１９】
【課題を解決するための手段】
本発明は、浴槽内の湯を吸湯管で汲み上げ、装置本体内に循環ポンプ、紫外線殺菌装置、濾過タンク、ヒータ等の清浄化処理機器を配備した循環路で殺菌、濾過、加熱等の所定の清浄化処理した後噴湯管を経て再び浴槽内に噴出する浴槽湯の清浄化装置において、熱殺菌運転時には前記循環路内の湯温上昇に伴い前記循環路内の圧力が上昇するのを防止するために、僅かに漏水する構造の逆止弁が設けられていることを特徴とする浴槽湯の清浄化装置とすることにより、課題を解決した。
さらに本発明は、前記逆止弁には弁体と弁座との間に僅かに漏水する隙間が設けられていることを特徴とする浴槽湯の清浄化装置とすることにより、課題を解決した。
さらに本発明は、前記逆止弁には弁体に小穴が設けられていることを特徴とする浴槽湯の清浄化装置とすることにより、課題を解決した。
【手続補正書】
【提出日】平成17年11月21日(2005.11.21)
【手続補正１】
【補正対象書類名】明細書
【補正対象項目名】００１０
【補正方法】変更
【補正の内容】
【００１０】
図７は、キャビネット２側面下部の滑車１０、１１の内側にもうひとつの移動自在な滑車１１ａを付加したものである。この滑車１１ａは上部の滑車１２にロープ１３を巡らせる前に通すもので、ロープ１３の伸びによる緩みや、ロープ１３の滑車８〜１２からの脱落を防ぐためのものでのである。移動自在とするため滑車１１ａは一方側を固定し、他方側を弧状をなす長穴１１ｂにねじ止めするように構成し、滑車１１ａを所定角度回動させることでロープ１３の伸びに対応してロープ１３をめぐらせる距離を長くするよう調整してロープ１３の緊張状態を保つようにしてある。
【手続補正２】
【補正対象書類名】明細書
【補正対象項目名】００１２
【補正方法】変更
【補正の内容】
【００１２】
【発明の効果】
この発明は以上のような構成からなるもので、請求項１の発明では、網籠を扉裏面上に引き出した状態で、水平に保ちキャビネット前面を昇降するようにしたので、極めて使い勝手が良好となるのである。
請求項２記載の発明では、扉裏面に引き出す網籠を扉の開閉に伴って昇降させることができ、食器等の洗浄物の出し入れに際して床面に水滴を飛散させることなく作業を楽にすることができるのである。
また、昇降させる機構をキャビネット及び扉の側面に一括して設けるようにしたので、内部に設けるようにした場合の特殊材料の選択、特殊処理加工が不要となり、修理、部品交換等のメインテナンスが容易となる。
さらに、網籠載置台を、扉裏面の前端部に軸止した架台とこの架台上のスライド台とから構成するようにしてあるので、スライド台上で網籠が扉裏面より外に出るので、網籠の昇降ストロークを大きくすることができる。昇降させる場合はロープの両端を固定し、滑車により巡らせたロープが移動するようにしたので動作がスムースで重量に耐えられることになるのである。
請求項３の発明では、調整滑車を介するようにしたので、ロープの伸びによる巡らせたロープの緩みを簡単に解消することができるのである。
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  遺伝子情報の転写および翻訳と、前記遺伝子情報が翻訳されることにより生成される蛋白質の拡散とに関するパラメータを設定する設定手段と、
前記設定手段により設定された前記パラメータを用いて、所定の生物の卵の内部における前記遺伝子情報の転写および翻訳と、前記蛋白質の拡散のシミュレーションを実行する実行手段と
を備えることを特徴とする情報処理装置。
【請求項２】  前記設定手段は、遺伝的アルゴリズムを用いて前記パラメータを設定する
ことを特徴とする請求項１に記載の情報処理装置。
【請求項３】  前記実行手段は、前記蛋白質の拡散のシミュレーションを、次式
【数１】
2000157265.tif 000001
を用いて実行する
ことを特徴とする請求項１に記載の情報処理装置。
【請求項４】  前記生物の前記卵の所定の位置に、母性効果遺伝子のmRNAを配置する配置手段
をさらに備えることを特徴とする請求項１に記載の情報処理装置。
【請求項５】  前記生物は、ショウジョウバエである
ことを特徴とする請求項１に記載の情報処理装置。
【請求項６】  前記設定手段は、前記遺伝子情報の転写を制御する蛋白質の濃度に基づき、前記遺伝子情報の転写に関するパラメータを設定する
ことを特徴とする請求項１に記載の情報処理装置。
【請求項７】  前記設定手段は、前記卵の形状を円柱形とみなして、前記蛋白質の拡散に関するパラメータを設定する
ことを特徴とする請求項１に記載の情報処理装置。
【請求項８】  前記遺伝子情報は、生物の初期発生過程に関する遺伝子情報である
ことを特徴とする請求項１に記載の情報処理装置。
【請求項９】  シミュレーションを行う情報処理装置の情報処理方法において、
遺伝子情報の転写および翻訳と、前記遺伝子情報が翻訳されることにより生成される蛋白質の拡散とに関するパラメータを設定する設定ステップと、
前記設定ステップで設定された前記パラメータを用いて、所定の生物の卵の内部における前記遺伝子情報の転写および翻訳と、前記蛋白質の拡散のシミュレーションを実行する実行ステップと
を含むことを特徴とする情報処理方法。
【請求項１０】  遺伝子情報の転写および翻訳と、前記遺伝子情報が翻訳されることにより生成される蛋白質の拡散とに関するパラメータを設定する設定ステップと、
前記設定ステップで設定された前記パラメータを用いて、所定の生物の卵の内部における前記遺伝子情報の転写および翻訳と、前記蛋白質の拡散のシミュレーションを実行する実行ステップと
を含む処理を情報処理装置に実行させるコンピュータが読み取り可能なプログラムを提供することを特徴とする提供媒体。
【手続補正２】
【補正対象書類名】明細書
【補正対象項目名】０００８
【補正方法】変更
【補正の内容】
【０００８】
請求項９に記載の情報処理方法は、遺伝子情報の転写および翻訳と、遺伝子叙法が翻訳されることにおり生成される蛋白質の拡散とに関するパラメータを設定する設定ステップと、設定ステップで設定されたパラメータを用いて、生物の卵の内部における遺伝子情報の転写および翻訳と、蛋白質の拡散のシミュレーションを実行する実行ステップとを含むことを特徴とする。
【手続補正３】
【補正対象書類名】明細書
【補正対象項目名】０００９
【補正方法】変更
【補正の内容】
【０００９】
請求項１０に記載の提供媒体は、遺伝子情報の転写および翻訳と、遺伝子情報が翻訳されることにより生成される蛋白質の拡散とに関するパラメータを設定する設定ステップと、設定ステップで設定されたパラメータを用いて、生物の卵の内部における遺伝子情報の転写および翻訳と、蛋白質の拡散のシミュレーションを実行する実行ステップとを含む処理を情報処理に実行させるコンピュータが読み取り可能なプログラムを提供することを特徴とする。
【手続補正４】
【補正対象書類名】明細書
【補正対象項目名】００１０
【補正方法】変更
【補正の内容】
【００１０】
請求項１に記載の情報処理装置、請求項９に記載の情報処理方法、および請求項１０に記載の提供媒体においては、遺伝子情報の転写および翻訳と、遺伝子情報が翻訳されることにより生成される蛋白質の拡散とに関するパラメータが設定され、設定されたパラメータを用いて、生物の卵の内部における遺伝子情報の転写および翻訳と、蛋白質の拡散のシミュレーションが実行される。
【手続補正５】
【補正対象書類名】明細書
【補正対象項目名】００３８
【補正方法】変更
【補正の内容】
【００３８】
【発明の効果】
以上の如く、請求項１に記載の情報処理装置、請求項９に記載の情報処理方法、および請求項１０に記載の提供媒体によれば、遺伝子情報の転写および翻訳と、遺伝子情報が翻訳されることにより生成される蛋白質の拡散に関するパラメータを設定し、設定されたパラメータを用いて、生物の卵の内部における遺伝子情報の転写および翻訳と、蛋白質の拡散のシミュレーションを実行するようにしたので、生物の複雑な発生過程のメカニズムを直感的に理解することが可能となる。
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】
被検体の置かれた空間に高周波磁場および傾斜磁場の各磁場を所定のパルスシーケンスに従って印加する手段と、核磁気共鳴信号を受信する受信コイルと、前記受信コイルで受信した核磁気共鳴信号を処理し、画像を再構成する手段とを備えた核磁気共鳴撮影装置において、
前記受信コイルとして、複数の小型RF受信コイルからなるマルチプルコイルを用いるとともに、前記画像再構成手段は、小型RF受信コイル毎に、被検体の体動を補正する手段を備え、各補正手段によって補正されたエコー信号または画像信号を合成し体動の補正された画像を得ることを特徴とする核磁気共鳴撮影装置。
【請求項２】
請求項１記載の核磁気共鳴撮影装置において、
前記体動補正手段は、前記パルスシーケンスの繰り返しにおいて、付加的に発生したナビゲーションエコーを小型RF受信コイル毎に取得する手段と、同一の小型RF受信コイルで取得されたナビゲーションエコーとエコー信号の組で被検体の体動を補正する手段とからなることを特徴とする核磁気共鳴撮影装置。
【手続補正書】
【提出日】平成18年7月10日(2006.7.10)
【手続補正１】
【補正対象書類名】明細書
【補正対象項目名】特許請求の範囲
【補正方法】変更
【補正の内容】
【特許請求の範囲】
【請求項１】  吸収性物品用、特に使い捨ておむつ（１）用の、機械的閉鎖テープタブ積層体（１０）またはそのようなテープタブ積層体の前駆物質と、雌型固着要素（１００）またはそのような雌型固着要素の前駆物質とを具備する閉鎖装置であって、
前記機械的閉鎖テープタブ積層体（１０）は、任意に連続した接着剤層（１２）を備える裏材（１３）を有する固着テープタブ（１１）を具備し、
前記機械的閉鎖テープタブ積層体（１０）は、前記おむつ（１）の第１端領域（７）の外面（３）に取り付けることができるか、またはその自由端（１８）に隣接するその基端（１７）を介して該外面（３）と該おむつ（１）の該第１端領域（７）の縁部分（６）の内面（２）との間に取り付けることができ、
前記機械的閉鎖テープタブ積層体（１０）の前記自由端（１８）は、雄型機械的固着要素（１５）を具備し、
前記機械的閉鎖テープタブ積層体（１０）はさらに、任意に連続した接着剤層（３２）を担持する裏材（３１）を有する第２のテープタブ（３０）を、選択可能に具備し、
前記第２のテープタブ（３０）を具備する場合に、該第２のテープタブは、それ自体の前記接着剤層（３２）、前記固着テープタブの前記接着剤層（１２）、および裏材（４１）と任意連続形状の接着剤層（４２）とを有する１つ以上の第３のテープタブ（４０）の、少なくともいずれかによって、前記機械的閉鎖テープタブ積層体（１０）の前記自由端（１８）に取り付けられるとともに、該第２のテープタブ（３０）は、それ自体の接着剤層（３２）、および該１つ以上の第３のテープタブ（４０）の、少なくともいずれかによって、前記おむつ（１）の前記内面（２）に取り付けることができ、
前記機械的閉鎖テープタブ積層体（１０）は、前記固着テープタブ（１１）の前記自由端（１８）、および前記第２のテープタブ（３０）、並びに前記１つ以上の第３のテープタブ（４０）の、少なくともいずれかに、少なくとも１つの露出した接着剤固着面（１９）を有し、
前記雌型固着要素（１００）は、剥離処理された露出面（１０３）を有する繊維性ウェブ構造（１０２）を第１の主要面に担持する基材（１０１）を具備し、該繊維性ウェブ構造（１０２）は前記機械的閉鎖テープタブ積層体（１０）の前記雄型固着要素（１５）に係合することができ、
前記雌型固着要素は、前記基材（１０１）の第２の主要面を介して、前記第１端領域（７）の反対側の前記おむつ（１）の第２端領域（８）の前記外面（３）に取り付けられて、前記機械的閉鎖テープタブ積層体（１０）の前記雄型固着要素（１５）用の取着部位を形成でき、
前記繊維性ウェブ構造（１０２）の前記露出面（１０３）の剥離処理は、検査項目に記載された修正ＦＩＮＡＴ検査法第２にしたがって測定したときに、前記雌型固着要素（１００）の該露出面（１０３）からの前記露出した接着剤固着面（１９）の９０度剥離接着力が、１．２Ｎ／２５ｍｍ未満であるように選択されること、
を特徴とする閉鎖装置。
【請求項２】  前記剥離処理された露出面（１０３）は、剥離コーティング溶液を塗着することによって得られる、請求項１に記載の閉鎖装置。
【請求項３】  前記剥離コーティング溶液は、反応性シリコーン、フルオロケミカルポリマー、エポキシシリコーン、放射線硬化可能ポリオルガノシロキサンポリウレタンブロックコポリマーからなる群から選択される１種類以上の剥離剤を含む、請求項２に記載の閉鎖装置。
【請求項４】  乾燥剥離コーティング重量が０．０５〜５ｇ／ｍ２である、請求項２または３に記載の閉鎖装置。
【請求項５】  前記剥離コーティング溶液は、１〜２５重量％の１種類以上の剥離剤を含む、請求項２〜４のいずれか１項に記載の閉鎖装置。
【請求項６】  前記機械的閉鎖テープタブ積層体（１０）の前記露出した接着剤固着面（１９）は、前記おむつ（１）の前記内面（２）の本質的に上方にあり、前記雄型固着要素（１５）は該テープタブ積層体（１０）の本質的に末端にあり、それにより、該露出した接着剤固着面（１９）の末端と該雄型固着要素（１５）の基端とが互いに直接には隣接しないようになっている、請求項１〜５のいずれか１項に記載の閉鎖装置。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  Ｘ線源を被検体を中心にして連続回転させるとともに該Ｘ線源からＸ線を照射し、被検体を挟んで前記Ｘ線源と対向配置されたＸ線検出器によって被検体の透過Ｘ線を示す投影データを取り込み、該投影データに基づいて前記被検体の断層像を再構成し、該再構成された断層像を表示するＸ線ＣＴ装置において、
前記表示された断層像のうちの被検体の関心領域を設定する設定手段と、
前記設定手段によって設定された関心領域のみにＸ線を照射されるように連続回転中にＸ線の照射範囲を制限する制限手段と、
前記制限手段によってＸ線の照射範囲が制限されない前記被検体の透過Ｘ線を示す事前投影データを前記連続回転の前に取り込んで記憶する記憶手段と、
前記記憶手段によって取り込まれ記憶された事前投影データから事前画像を再構成する事前画像再構成手段と、
連続回転中に取り込む前記関心領域のみの新投影データと前記事前投影データ又は前記新投影データの直前に取り込んだ直前投影データとの差分データを算出する算出手段と、
前記算出された差分データを基に差分画像を再構成する差分画像再構成手段と、
前記再構成された差分画像と前記事前画像とを加算し前記断層像を作成する画像作成手段と、
を備えたことを特徴とするＸ線ＣＴ装置。
【請求項２】  前記画像作成手段は、前記差分画像再構成手段によって再構成された差分画像と前記事前画像又は前記直前投影データから作成した直前画像とを加算し、前記断層像を作成することを特徴とする請求項１記載のＸ線ＣＴ装置。
【請求項３】  前記算出手段は、前記差分データのうち前記関心領域外のデータが実質的に０となるように境界処理を行うことを特徴とする請求項１又は２の何れか一項に記載のＸ線ＣＴ装置。
【手続補正２】
【補正対象書類名】明細書
【補正対象項目名】０００６
【補正方法】変更
【補正の内容】
【０００６】
【課題を解決するための手段】  本発明は、前記目的を達成するために、Ｘ線源を被検体を中心にして連続回転させるとともに該Ｘ線源からＸ線を照射し、被検体を挟んで前記Ｘ線源と対向配置されたＸ線検出器によって被検体の透過Ｘ線を示す投影データを取り込み、該投影データに基づいて前記被検体の断層像を再構成し、該再構成された断層像を表示するＸ線ＣＴ装置において、前記表示された断層像のうちの被検体の関心領域を設定する設定手段と、前記設定手段によって設定された関心領域のみにＸ線を照射されるように連続回転中にＸ線の照射範囲を制限する制限手段と、前記制限手段によってＸ線の照射範囲が制限されない前記被検体の透過Ｘ線を示す事前投影データを前記連続回転の前に取り込んで記憶する記憶手段と、前記記憶手段によって取り込まれ記憶された事前投影データから事前画像を再構成する事前画像再構成手段と、連続回転中に取り込む前記関心領域のみの新投影データと前記事前投影データ又は前記新投影データの直前に取り込んだ直前投影データとの差分データを算出する算出手段と、前記算出された差分データを基に差分画像を再構成する差分画像再構成手段と、前記再構成された差分画像と前記事前画像とを加算し前記断層像を作成する画像作成手段と、を備えたことを特徴とする。
また、前記画像作成手段は、前記差分画像再構成手段によって再構成された差分画像と前記事前画像又は前記直前投影データから作成した直前画像とを加算し、前記断層像を作成してもよい。
更に、前記算出手段は、前記差分データのうち前記関心領域外のデータが実質的に０となるように境界処理を行ってもよい。
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】
浴槽内から湯を汲み上げて循環させるための循環ポンプ、
湯を殺菌するための殺菌装置、
湯の中から汚れを取り除くための濾過タンク、
湯を適温に保温加熱するためのヒータ等の清浄化処理機器が収納された装置本体と、
該装置本体の上面を覆うように固定され、前方部分に下方に突出する嵌合リブが設けられた上カバーと、
前記装置本体の前面開口を覆う着脱自在の前カバーと、
により密閉された浴槽湯の清浄化装置において、
前記前カバーの上端にパッキンを収納するための嵌合溝が設けられ、該嵌合溝に前記パッキンを装着し引っ掛けて固定する切り欠き部を設けた
ことを特徴とする浴槽湯の清浄化装置。
【請求項２】
前記前カバーの嵌合溝のパッキンを装着し引っ掛けて固定するための切り欠き部が、パッキンの径より小さく形成されることを特徴とする請求項１記載の浴槽湯の清浄化装置。
【請求項３】
前記前カバーの嵌合溝のパッキンを装着し引っ掛けて固定するための切り欠き部が、嵌合溝の端部に形成されることを特徴とする請求項１及び請求項２記載の浴槽湯の清浄化装置。
【請求項４】
浴槽内から湯を汲み上げて循環させるための循環ポンプ、
ＵＶランプから発する紫外線により湯を殺菌する紫外線殺菌装置、
湯の中から汚れを取り除くための濾過タンク、
湯を適温に保温加熱するためのヒータ等の清浄化処理機器を連結管で直列に連結された清浄化装置において、
前記紫外線殺菌装置におけるＵＶランプの積算通電時間を演算する手段と、
該積算通電時間が予め定められたＵＶランプの寿命時間に到達したか否かを判断する手段と、
該判断する手段の結果に基づき寿命に達したことを表示する寿命表示の手段により
紫外線殺菌装置におけるＵＶランプが寿命時間に到達するとＵＶランプの交換を促すＵＶランプの寿命表示するようにしたことを特徴とする浴槽湯の清浄化装置。
【請求項５】
前記ＵＶランプの寿命表示を一時的に解除するための手段
によりＵＶランプの寿命表示を一時的に解除するようにしたことを特徴とする請求項４に記載の浴槽湯の清浄化装置。
【請求項６】
前記ＵＶランプの寿命表示を一時的に解除する一時解除時間を積算する手段と、
前記ＵＶランプの寿命表示するか通常表示にするか否かを解除終了時間により判断する手段と、
前記ＵＶランプの寿命表示を一時的に解除するための手段により
ＵＶランプの寿命表示を一時的に解除し、
前記積算する手段により積算された一時解除時間が解除終了時間以下と判別された場合には
寿命表示から通常表示とするようにしたことを特徴とする請求項５に記載の浴槽湯の清浄化装置。
【手続補正２】
【補正対象書類名】明細書
【補正対象項目名】００１８
【補正方法】変更
【補正の内容】
【００１８】
【課題を解決するための手段】
すなわち本発明は、浴槽内から湯を汲み上げて循環させるための循環ポンプ、湯を殺菌するための殺菌装置、湯の中から汚れを取り除くための濾過タンク、湯を適温に保温加熱するためのヒータ等の清浄化処理機器が収納された装置本体と、該装置本体の上面を覆うように固定され、前方部分に下方に突出する嵌合リブが設けられた上カバーと、前記装置本体の前面開口を覆う着脱自在の前カバーと、により密閉された浴槽湯の清浄化装置において、前記前カバーの上端にパッキンを収納するための嵌合溝が設けられ、該嵌合溝に前記パッキンを装着し引っ掛けて固定する切り欠き部を設けた浴槽湯の清浄化装置とすることにより、課題を解決した。
さらに本発明は、前記前カバーの嵌合溝のパッキンを装着し引っ掛けて固定するための切り欠き部が、パッキンの径より小さく形成される浴槽湯の清浄化装置とすることにより、課題を解決した。
さらに本発明は、前記前カバーの嵌合溝のパッキンを装着し引っ掛けて固定するための切り欠き部が、嵌合溝の端部に形成される浴槽湯の清浄化装置とすることにより、課題を解決した。
【手続補正３】
【補正対象書類名】明細書
【補正対象項目名】００１９
【補正方法】変更
【補正の内容】
【００１９】
次に、浴槽内から湯を汲み上げて循環させるための循環ポンプ、ＵＶランプから発する紫外線により湯を殺菌する紫外線殺菌装置、湯の中から汚れを取り除くための濾過タンク、湯を適温に保温加熱するためのヒータ等の清浄化処理機器を連結管で直列に連結された清浄化装置において、前記紫外線殺菌装置におけるＵＶランプの積算通電時間を演算する手段と、該積算通電時間が予め定められたＵＶランプの寿命時間に到達したか否かを判断する手段と、該判断する手段の結果に基づき寿命に達したことを表示する寿命表示の手段により紫外線殺菌装置におけるＵＶランプが寿命時間に到達するとＵＶランプの交換を促すＵＶランプの寿命表示するようにした浴槽湯の清浄化装置とすることにより、課題を解決した。
さらに本発明は、前記ＵＶランプの寿命表示を一時的に解除するための手段によりＵＶランプの寿命表示を一時的に解除するようにした浴槽湯の清浄化装置とすることにより、課題を解決した。
さらに本発明は、前記ＵＶランプの寿命表示を一時的に解除する一時解除時間を積算する手段と、前記ＵＶランプの寿命表示するか通常表示にするか否かを解除終了時間により判断する手段と、前記ＵＶランプの寿命表示を一時的に解除するための手段によりＵＶランプの寿命表示を一時的に解除し、前記積算する手段により積算された一時解除時間が解除終了時間以下と判別された場合には寿命表示から通常表示とするようにした浴槽湯の清浄化装置とすることにより、課題を解決した。。
【手続補正書】
【提出日】平成17年11月16日(2005.11.16)
【手続補正１】
【補正対象書類名】明細書
【補正対象項目名】全文
【補正方法】変更
【補正の内容】
【書類名】                      明細書
【発明の名称】                  物干しセット
【特許請求の範囲】
【請求項１】線状材を格子状に配置してなる、斜底辺を有する三角状の物干し盤と、該物干し盤を柱等に固定する固定具とよりなる、物干しセット。
【請求項２】物干し盤にボ−ド部を設けたことを特徴とする、請求項１記載の、物干しセット。
【請求項３】物干し盤を支持する支柱を設けたことを特徴とする、請求項１または２記載の、物干しセット。
【発明の詳細な説明】
【０００１】
【産業上の利用分野】
洗濯物を乾燥する際に使用する物干しセットに関するものである。
【０００２】
【従来の技術】
従来は、ａ；洗濯ばさみの使用が主流で、片手に洗濯物、他の手に洗濯ばさみを持ち、その口を開き洗濯物を挟んで固定していた。これは片手を動かせない者等には使いにくく、めんどうで時間を要する行為であった。洗濯物にその跡がつき、数多い洗濯ばさみの整理にも困り、洗濯ばさみをまとめた折り畳みハンガ−においては、洗濯ばさみのからまりを避けるための発明に精を出す等、洗濯ばさみに翻弄されている現状である。ｂ；またハンガ−の口部が屋内で使用するための形状なので固定が完全でなく、風で吹き寄せられた洗濯物は皺を作り乾きが悪くなり、ハンガ−毎吹き飛ばされ外されるため、ハンガ−を固定するための工夫がいろいろとなされている。握り式のハンドル等を加工した製品も出現はしたが、握り部が堅すぎて使用出来ない者もいるし、ハンガ−に掛けたＴシャツの方が飛ばされることがあり、ここの解決はまだなされていない。ｃ；竿は長さや重さに関して扱いづらい大きさで、ベランダで使用するにはより不向きな物である。片側とはいえ竿を持ち上げては、輪状の洗濯物をその都度差し込んで使用するのには重く、次第に固定物的な扱いになり、現在はシ−ツで使用する以外は、別の物干し具を吊すという使われ方になっている。また竿を支える支柱の建立に場所を取り、洗濯物が取り外された後は美観的にも障害物として存在し続けている。
手が思うように伸ばせない者、洗濯ばさみが扱いづらい者、視力の弱い者、体力のない者には、物干しはやりにくく時間を要する苦しい作業であった。
【０００３】
【発明が解決しようとする課題】
洗濯ばさみを使用しないでも、洗濯物が外れたりしないようにする。曇天、荒天の対策をし易くし、プライバシイを守って干し易くする。干し具が片づけられ、景観をよくする。竿をその都度持ち上げないで作業が出来る。洗濯ばさみがつかめにくかったり思うように手が伸ばせなかったり、視力が弱かったり、体力がなかったりする者にとっても、洗濯物が楽に干せるようにする。
【０００４】
【課題を解決するための手段】
線状材を格子状に配置してなり、斜底辺を有する三角状の物干し盤と、該物干し盤を柱等に固定する固定具とよりなる。
【０００５】
【作用】
吊すことが可能な吊し具類を、物干し盤に陳列固定する。吊るし具類は目より外れず、洗濯物は飛ばされない。見られたくない物は目隠し可能な場所に干す。
【０００６】
【実施例】
先ず、物干し盤（２）の作り方について述べると、金属等の硬質な線状材等で平板に斜めや格子状等の目を組む。一部にボ−ド部（８）等を内蔵あるいはそれらを突き出して付着する等する。次に引っかけるための釘等（３）、又は、立てるためのポ−ル等（６）を用意する。
次に使い方について述べると、柱、鴨居等に釘等を打ち、それに物干し盤を引っかける。この面に向かって洗濯物（４）を着用したハンガ−の口部を差し込む。三角形の斜辺部等にハンガ−を適当な間隔で目や穴に差し込み、それに都合のよい洗濯物を干す。
回転（７）式にする場合には柱（１）等にちょうつがいや、ポ−ル等に物干し盤の輪状にした加工個所を差し込んで、固定可能な形状と強度、回転可能なゆるみ等を持たせた、固定具（５）等を設ける。以上の様にして、線、ステイック、ボ−ド等、それのみ又は混合で、物干し盤を作る。使い方は、壁沿いに物干し盤を設置してそこで干して、柱やポ−ルを中心に９０度回転して太陽に当てる。雨や強風の心配があれば、壁沿いのままで、あるいは適当な個所で回転を止める。プライバシイ、景観の意味で気になる場合は、裏側に干す、又はポリエチレンや軟材ネットのシ−トを被せる等する。
先ず、物干し盤（２）の作り方について述べると、金属等の硬質な線状材等で平板に斜めや格子状等の目を組む。一部に平行線状等のスティックやボ−ド部（８）等を内蔵あるいはそれらを突き出して付着する等する。これを引っかけるための釘等（３）、又は、立てるためのポ−ル等（６）を用意する。回転（７）状にする場合には柱（１）等にちょうつがいや、又はポ−ル等に物干し盤の輪状に加工した個所を差し込んで、固定可能な形状と強度、回転可能なゆるみ等を持たせた、固定具（５）等を設ける。以上の様にして、線、ステイック、ボ−ド等、それのみ又は混合で、＿物干し盤を作る。
【０００７】
【発明の効果】
イ  洗濯ばさみを使用しないでもハンガ−やその他の干し具に止められ、洗濯物もハンガ−も干し具も風で飛ばなくなり、そのからまりからも解放された。
ロ  手がのばせず上手に動かせなくても視力が弱くても、洗濯ばさみを使わずにすみ、どこかの目の穴部へハンガ−が吊せ、体力のない者にも重い竿等をもちあげなくて楽に干せられ、物干しの時間も短縮出来た。
ハ  簡単に回転等もし移動も出来、曇天、荒天の際の対策がし易くなった。
ニ  物干し状態を、おしゃれにカバ−でき、プライバシイを守り易くなった。
ホ  乾燥が終わった時点で、物干し状態が跡形なく片づけられることが可能となった。
【図面の簡単な説明】
【図１】
柱に物干し盤を設けた使用中の正面図と、回転機能を設ける場合の、分解図である。
【図２】
一部をボ−ド面とした格子状の物干し盤を、ア−チ状等に設置した正面二図である。
【符号の説明】
１  柱                  ２  物干し盤            ３  釘等
４  洗濯物              ５  固定具              ６  ポ−ル
７  回転                ８  ボ−ド部
【手続補正２】
【補正対象書類名】図面
【補正対象項目名】全図
【補正方法】変更
【補正の内容】
【書類名】                  図面
【図１】
2000157794.tif 000001
【図２】
2000157794.tif 000002